(57)【要約】【課題】正方形状断面、十字形状断面及び長方形状断面の施解錠軸に対応するとともに、施解錠軸を回動する際、空回りの恐れがないケース錠用アダプター及びケース錠を提供すること。【解決手段】回動することにより施解錠を行なうロックカムを備えるケース錠の、該ロックカムに形成された嵌挿孔に嵌挿される筒体状のアダプターであって、四角形状の孔と、該四角形状の対角線を中心線とし該四角形の角において外側に突出する施解錠軸当たり面高さｌ１を有する長方形状の孔が、重なって形成される挿入孔を有し、該挿入孔の奥側の内壁には、該施解錠軸当たり面高さｌ１より大の施解錠軸当たり面高さｌ２を有する長方形状の孔を形成するような突起が形成され、該突起の両開口側には、開口に向けて下り傾斜面を有し、該突起が形成された筒体部が、四角形断面の施解錠軸の挿入により、該挿入方向と直交する方向に撓むものである。【選択図】図１
2011006939.tif 000002
【特許請求の範囲】
【請求項１】
回動することにより施解錠を行なうロックカムを備えるケース錠の、該ロックカムに形成された嵌挿孔に嵌挿される筒体状のアダプターであって、
四角形状の孔と、該四角形状の対角線を中心線とし該四角形の角において外側に突出する施解錠軸当たり面高さｌ１を有する長方形状の孔が、重なって形成される挿入孔を有し、
該挿入孔の奥側の内壁には、該施解錠軸当たり面高さｌ１より大の施解錠軸当たり面高さｌ２を有する長方形状の孔を形成するような突起が形成され、
該突起の両開口側には、開口に向けて下り傾斜面を有し、
該突起が形成された筒体部が、四角形断面の施解錠軸の挿入により、該挿入方向と直交する方向に撓むものであることを特徴とするケース錠用アダプター。
【請求項２】
筒体部と該筒体部の一端から両側に延びるフランジ部とからなり、該筒体部における挿入孔の形状は、挿入方向の該筒体部の中点を中心線として、前後対称であることを特徴とする請求項１記載のケース錠用アダプター。
【請求項３】
該突起が形成された筒体部は、突起が形成されていない筒体部より薄肉であることを特徴とする請求項１又は２記載のケース錠用アダプター。
【請求項４】
該突起は、該挿入孔の挿入方向の略中央で前後に分断されていることを特徴とする請求項１〜３のいずれか１項に記載のケース錠用アダプター。
【請求項５】
請求項１〜４のいずれか１項に記載のアダプターを備えることを特徴とするケース錠。
【発明の詳細な説明】
【技術分野】
【０００１】
本発明は、正方形状断面、十字形状断面及び長方形状断面の施解錠軸に対応して取り付けられるケース錠用アダプター及びケース錠に関するものである。
【背景技術】
【０００２】
従来より、円筒状又は角筒状のアダプターを円形状又は角孔状の嵌挿孔に嵌挿して、複数の角芯の形状や寸法に対応できるようにしたケース錠用アダプターやケース錠は知られている。これは既存のケース錠を交換することなく生かしつつ、施解錠軸部材を使用者の好みのタイプのものや他のメーカー品のものに代替する要求があるからである。
【０００３】
特開２００４−９２０９１号公報には、回動することによって施解錠することができるロックカムを錠本体の中に有し、ロックカムに設けた挿入孔に施解錠軸及びアダプターを嵌挿することができる錠前装置において、挿入孔は、略正方形状の施解錠軸用孔に、その相対向する少なくとも一対の辺の略中央に、外方に突出する突出孔を連続して設けた形状とし、アダプターは、突出孔に嵌挿する一対の突条部を有すると共に、一方の突条部から他方の突条部に至る略長方形状の施解錠軸用孔を設けたことを特徴とする錠前装置が開示されている。特開２００４−９２０９１号公報の錠前装置によれば、正方形状断面及び長方形状断面の施解錠軸に対応できる。
【先行技術文献】
【特許文献】
【０００４】
【特許文献１】特開２００４−９２０９１号公報
【発明の概要】
【発明が解決しようとする課題】
【０００５】
しかしながら、特開２００４−９２０９１号公報に記載の錠前装置は、アダプター装着状態においては、長方形状断面の施解錠軸に対応できるのみであり、正方形状断面及び長方形状断面の施解錠軸に対応するためには、アダプターの装着と脱着が必要となり面倒である。また、周知慣用技術に基づき、正方形状断面、十字形状断面及び長方形状断面の施解錠軸に対応可能なように、アダプターに挿入孔を形成することも考えられる。この場合、四角形状の孔と、該四角形状の対角線を中心線とし該四角形の角において外側に突出する施解錠軸当たり面高さを有する長方形状の孔が、重なり合った挿入孔形状となるが、市販品の施解錠軸部材との適合性を考慮すると、この施解錠軸当たり面高さがどうしても小さくなり、施解錠軸を回動する際、空回りの恐れがあるという問題がある。
【０００６】
従って、本発明の目的は、正方形状断面、十字形状断面及び長方形状断面の施解錠軸に対応するとともに、施解錠軸を回動する際、空回りの恐れがないケース錠用アダプター及びケース錠を提供することにある。
【課題を解決するための手段】
【０００７】
かかる実情において、本発明者は鋭意検討を行った結果、四角形状の孔と、該四角形状の対角線を中心線とし該四角形の角において外側に突出する施解錠軸当たり面高さを有する長方形状の孔が、重なり合った挿入孔に対して、該挿入孔の奥側の内壁面に四角形状の施解錠軸を挿入した際、外側へ撓む特定形状の突起を設ければ、上記課題を解決できることを見出し、本発明を完成するに至った。
【０００８】
すなわち、本発明は、回動することにより施解錠を行なうロックカムを備えるケース錠の、該ロックカムに形成された嵌挿孔に嵌挿される筒体状のアダプターであって、  四角形状の孔と、該四角形状の対角線を中心線とし該四角形の角において外側に突出する施解錠軸当たり面高さｌ１を有する長方形状の孔が、重なって形成される挿入孔を有し、該挿入孔の奥側の内壁には、該施解錠軸当たり面高さｌ１より大の施解錠軸当たり面高さｌ２を有する長方形状の孔を形成するような突起が形成され、該突起の両開口側には、開口に向けて下り傾斜面を有し、該突起が形成された筒体部が、四角形断面の施解錠軸の挿入により、該挿入方向と直交する方向に撓むものであるケース錠用アダプターを提供するものである。
【発明の効果】
【０００９】
本発明によれば、正方形状断面、十字形状断面及び長方形状断面の施解錠軸に対応するとともに、施解錠軸を回動する際、空回りの恐れがない。
【図面の簡単な説明】
【００１０】
【図１】本実施の形態におけるケース錠用アダプターの斜視図である。
【図２】図１のケース錠用アダプターを裏側から見た斜視図である。
【図３】図１の符号Ｆ（前方）側から見た正面図である。
【図４】図１の符号Ｂ（後方）側から見た背面図である。
【図５】図１において、Ｘ-Ｘ方向に見た断面図である。
【図６】図１の切断面を周方向に４５度変えた位置で切断した断面図である。
【図７】本実施の形態におけるケース錠用アダプターのフランジを省略した簡略図である。
【図８】本実施の形態におけるケース錠用アダプターの側面図である。
【図９】図８のＺ１-Ｚ１線に沿って切断した断面図である。
【図１０】図８のＺ２-Ｚ２線に沿って切断した断面図である。
【図１１】図８のＺ３-Ｚ３線に沿って切断した断面図である。
【図１２】突起の他の形状を示す断面図である。
【図１３】突起の他の形状を示す断面図である。
【図１４】ロックカムの正面図である。
【図１５】本実施の形態におけるケース錠の一部を分解した斜視図である。
【図１６】本実施の形態におけるケース錠の一部を破断した側面図である。
【図１７】ケース錠用アダプターと施解錠軸との関係を示す斜視図である。
【図１８】ケース錠用アダプターと他の施解錠軸との関係を示す斜視図である。
【図１９】ケース錠用アダプターと他の施解錠軸との関係を示す斜視図である。
【発明を実施するための形態】
【００１１】
本実施の形態におけるケース錠用アダプターを図１〜図１１を参照して説明する。なお、本明細書中、フランジ側を正面又は前方（図１中、符号Ｆで表示）、フランジ側と反対側を背面又は後方（図１中、符号Ｂで表示）とする。また、挿入孔の形状は、断り書きがない限り、挿入方向（軸方向）に直交する方法で切断した断面における形状を言う。なお、図７においては符号１９で示される突起の記載を省略した。
【００１２】
ケース錠用アダプター１０は回動することにより施解錠を行なうロックカム７を備えるケース錠２０の、ロックカム７に形成された嵌挿孔７１に嵌挿される筒体状のアダプターであって、筒体本体部１には特定形状の挿入孔３を有し、挿入孔３の奥側の内壁には、特定形状の突起５が形成され、突起５の両開口側には、開口に向けて下り傾斜面３３を有し、突起５が形成された筒体部１４が、四角形断面の施解錠軸６１の挿入により、挿入方向と直交する方向（外側）に撓むものである。
【００１３】
挿入孔３は、四角形状の孔と、四角形状の対角線を中心線とし四角形の角において外側に突出する施解錠軸当たり面３８の高さｌ１を有する長方形状の孔が、重なって形成される断面形状を有する。すなわち、挿入孔３の断面形状は、図９に示すように、四角形状の角に、長方形状の一端部形状が表れた特異な形状を示すものである。挿入孔３のこの特異な断面形状において、説明の都合上、四角形状を形成する辺で形成される壁面を内側壁３５と、また長方形状を形成する短辺で形成される壁面を外側壁３６と、それぞれ言うことがある（図６参照）。挿入孔３は、四角形の対角線を中心線として線対称である。このような挿入孔３において、図９に示すように、四角形断面の施解錠軸６１（図９では二点鎖線で描かれた菱形状）が四角形状の孔にほぼ隙間なく挿入され、また、長方形断面の施解錠軸６２（図９では二点鎖線で描かれた縦長の長方形状）が長方形状の孔にほぼ隙間なく挿入され、また、十字形断面の施解錠軸（不図示）が図９中、縦長長方形状と横長長方形状で形成される十字形状の孔にほぼ隙間なく挿入される。
【００１４】
なお、施解錠軸当たり面３８の高さｌ１は０．５〜０．９ｍｍ程度であり、実際に軸面が当たるのが０．４〜０．７ｍｍであり、この程度の当たり面では、長方形断面の施解錠軸６２の回動が時には空回りすることがある。本発明は、この空回りの問題点を挿入孔３の奥側（挿入孔３の中央部）に、長方形状の施解錠軸当たり面の高さｌ２をこのｌ１の長さよりも大となるような突起５を形成することで解決したものである。長方形状の施解錠軸当たり面の高さｌ２は長方形状の施解錠軸当たり面の高さｌ１の概ね２倍程度の長さである。また、この特異な断面形状の挿入孔３は、前方の端面から挿入方向奥側に向けて、また後方の端面から挿入方向とは反対方向奥側に向けて、それぞれ突起５の傾斜面３３に当たるまで、同じ断面形状で形成されている。
【００１５】
ケース錠用アダプター１０において、挿入孔３の挿入方向の奥側の内側壁３５には、施解錠軸当たり面３８の高さｌ１より大の施解錠軸当たり面高さｌ２を有する長方形状の孔を形成するような突起５が形成されている。挿入孔３において、内側壁３５は都合４つ（四角形状の４辺）であるため、突起５は周方向に４箇所形成されることになる。内側壁３５の壁面に形成される突起５の形状は、本例では２つの三角形断面の子突起３１、３１が内側壁３５の短辺方向に離間して且つ挿入方向に平行に形成されている。２つの三角形断面の子突起３１、３１間には、平坦部３２が形成されている。そして、２つの三角形断面の子突起３１、３１のそれぞれ外側の辺が、施解錠軸当たり面３８と面一で連続している。このため、施解錠軸当たり面３８ａの高さｌ２は施解錠軸当たり面３８の高さｌ１より大とすることができる。これにより、長方形状断面又は十字形状断面の施解錠軸を挿入孔３に挿入して回動すれば、四角形状の施解錠軸と施解錠軸当たり面３８ａが当接又は近接するため、当たり面積が大きくなり、回動による空回りの恐れがなくなる。
【００１６】
このような突起５の形状は、挿入方向の略中心を中心線として前後対称である。これにより、ドアの両側から施解錠軸を挿入するような形態においては、同様の外力で操作できるので違和感がなく使用できるとともに、ドアの厚みに影響されず、長方形断面の施解錠軸と突起５の施解錠軸当たり面３８ａとが確実に当接又は近接することができる。
【００１７】
また、突起５が形成された筒体部１４は、突起５が形成されていない筒体部１４ａより薄肉である（図９と図１０参照）。突起５が形成された筒体部１４とは、突起５を支持する筒体部（図１０中の符号ｔ１はこの筒体部の厚み）を言い、突起が形成されていない筒体部１４ａとは、突起５が形成された筒体部１４と径方向で同じ位置にあり、挿入方向において異なる位置にある筒体部（図９中の符号ｔ２はこの筒体部の厚み）を言う。突起５が形成された筒体部１４を、突起が形成されていない筒体部１４ａより薄肉とすること、更に突起５は内側壁３５より内方へ突出していることにより、突起５が形成された筒体部１４の外周面は、突起が形成されていない筒体部１４ａの外周面に対して凹み部１３を形成することになる。
【００１８】
また、突起５が形成された筒体部１４は、挿入孔３の挿入方向の中央で前後に分断されている。また、突起５が形成された筒体部１４は、筒体部１４の両側で切り込まれている。すなわち、突起５が形成された筒体部１４は、突起が形成されていない筒体部１４ａから舌状に突出されている。本例では、この舌状の筒体部１４は、周方向９０度毎に合計４つ形成されている。突起５が形成された筒体部１４をこのような形状及び薄肉とすることで、突起５が形成された筒体部１４は、四角形断面の施解錠軸６１の挿入により容易に外側（挿入方向と直交する方向）に撓むことになる。突起５が形成された筒体部１４は、本例のように中央で必ずしも分断される必要はなく、更に薄肉の筒体で接続されたものであってもよい。この場合、四角形断面の施解錠軸６１が挿入孔３に挿入されると、突起５が形成された筒体部１４が外側に撓むことで、当該接続部分が分断する。すなわち、突起５が形成された筒体部１４は、未使用時は途中で分断されていない連続状一体物であって、最初の使用により分断されるようなものであってもよい。また、突起５が形成された筒体部１４は、本例のように両側で必ずしも切り込まれている必要はなく、更に薄肉の筒体で外側壁３６と接続されたものであってもよい。この場合、四角形断面の施解錠軸６１が挿入孔３に挿入されると、突起５が形成された筒体部１４が外側に撓むことで、当該接続部分が分断され、切り込みが生まれる。すなわち、突起５が形成された筒体部１４は、未使用時は連続状であって、最初の使用により切り込みができるようなものであってもよい。
【００１９】
なお、突起５は、図１０のような２つの子突起から形成される形態に限定されず、例えば、２つの三角形断面の子突起３１、３１間に平坦部３２を形成せず、内角を形成するような２つの三角形断面の子突起３１、３１で形成される突起５ａ（図１２参照）、例えば、図１０の２つの三角形断面の子突起３１、３１間の凹部が埋められ、台形断面形状を呈する突起５ｂなどが挙げられる。これらの突起５ａ及び５ｂは、いずれも施解錠軸当たり面３８の高さｌ１より大の施解錠軸当たり面高さｌ２を有する長方形状の孔を形成することができる。
【００２０】
突起５の両開口側は、開口に向けて下り傾斜面３３を有している。本例では、２つの三角形断面の子突起３１、３１の両端が、傾斜面３３となっている。これにより、四角形断面の施解錠軸６１の挿入を円滑にする。傾斜面３３の傾斜角は特に制限されず、筒体部の材質や筒体部１４の厚みなどにより適宜決定される。
【００２１】
ケース錠用アダプター１０は、筒体部１と筒体部１の一端から両側に延びるフランジ部２とからなり、筒体部１における挿入孔の形状は、任意ではあるが、本例では挿入方向の該筒体部の中点を中心線として、前後対称である。筒体部１において、内壁に突起が形成されていない筒体部１４ａの外周面は、アダプターの筒体部の外周面１１であり、本例では円形断面形状であるが、ロックカム７の嵌挿孔７１に嵌合する形状である。すなわち、本例ではロックカム７は図１４に示すように、嵌挿孔７１の内壁には係合突起７３が対峙して一対形成されている。このため、アダプターの筒体部１１の外周面には、ロックカム７の係合突起７３に係合する凹部１２が都合４つ形成されている。凹部１２は挿入方向に連続して形成される。なお、ロックカム７の形状は適宜決定されるものであり、それに嵌合する筒体部１１の外周面も、それに適合するような形状に決定される。なお、筒体部１の後方端部の周面に環状に形成される一対の突起である。この突起１９は、任意の構成要素であって、ケース錠２０のロックカム７に形成された嵌挿孔７１に、フランジ２が当たるまでアダプター１０を嵌挿する際、挿入側とは反対側の嵌挿孔から突出して、アダプター１０が嵌挿孔７１から抜け出ることを防止する役目を果たす。
【００２２】
ケース錠２０は、錠前装置とも称されるものである。ケース錠２０は錠本体２６の先端面からラッチ２１が進退するものであり、ラッチハブ２４を不図示の棒芯によりバネ部材のバネ力に抗して回動するとラッチ２１が後退する。また、ラッチ２１が突出した状態において、ロックカム７を回動すると、ロックカム７の突起７２がレバー２３の上側突起２２を押し、レバー２３の先端がバネ部材のバネ力に抗して下がり、ラッチ２１に連動する中間部材２７に係合する。このため、ラッチ２１の後退及びラッチハブの回動を阻止して施錠することになる。また、ロックカム７を反対に回動すると解錠するようになる。このようなケース錠２０の構造は公知のものである。また、ケース錠２０は上記構造に限定されず、他の公知の構造のものも使用できる。
【００２３】
次に、長方形断面の施解錠軸６２を使用したケース錠２０の使用方法を図１７を参照して説明する。図１７はケース錠に装着されたアダプター１０と施解錠軸６２との関係を示す斜視図である。施解錠軸６２を備える台座８２ａには、施錠状態又は解錠状態を知らせる表示部３４２が付設され、他方の側の台座８２ｂには、施解錠軸６２が嵌る係合孔６２ａを有する摘み８５が付設される。なお、符号８４はコイン等で操作できる溝３４１を有する操作部であり、この側からも施解錠軸６２を操作可能にしている。すなわち、図１７においては、施解錠軸６２が一方の側の台座８２ａのみに形成されるものである。先ず、ケース錠２０のロックカム７に形成された嵌挿孔７１に、フランジ２が当たるまでアダプター１０を嵌挿する。次いで、長方形断面の施解錠軸６２をアダプター１０の挿入孔３に挿入する。符号８３は台座８２ａから突出する結合脚部であり、ケース錠本体の上端に形成された凹部２７に通され、他方の台座８２ｂのネジ孔と対峙するようになっている。長方形断面の施解錠軸６２は、挿入孔３の長方形状部分を貫通して台座８２ｂの係合孔６２ａに嵌る。長方形断面の施解錠軸６２を、挿入孔３を貫通して挿入すると、長方形断面の施解錠軸６２の長手方向の一辺（一面）は、開口側で施解錠軸当たり面３８（高さｌ１）と当接又は近接し、中央側で施解錠軸当たり面３８ａ（高さｌ２）と当接又は近接する。長方形断面の施解錠軸６２は、挿入孔３の施解錠軸当たり面３８ａ（高さｌ２）と当接又は近接する部分が必ず存在するため、摘み８５を回動する際、挿入孔３の長方形状孔との係合が外れることはなく、空回りの恐れがない。
【００２４】
次に、十字形断面の施解錠軸６２ｂを使用したケース錠２０の使用方法を図１８を参照して説明する。図１８において図１７と同一構成要素には同一符号を付して、その説明を省略し、異なる点について主に説明する。すなわち、図１８において、図１７と異なる点は、施解錠軸６２ｂを十字形断面としたこと、施解錠軸６２ｂと係合する孔形状をそれに対応する十字形孔６１ｃとしたことにある。十字形断面の施解錠軸６２ｂを使用したケース錠２０の使用方法は、長方形断面の施解錠軸６２を使用した場合と同様に、十字形断面の施解錠軸は、挿入孔３の施解錠軸当たり面３８ａ（高さｌ２）と当接又は近接する部分が必ず存在するため、摘み８５を回動する際、挿入孔３の十字形状孔との係合が外れることはなく、空回りの恐れがない。図１７及び図１８において、施解錠軸は四角形断面のものであってもよい。
【００２５】
次に、四角形断面の施解錠軸６１を使用したケース錠２０の使用方法を図１９を参照して説明する。図１９において図１７と同一構成要素には同一符号を付して、その説明を省略し、異なる点について主に説明する。すなわち、図１９において、図１７と異なる点は、施解錠軸６１を両側の台座にそれぞれ形成したこと、施解錠軸６１を四角形断面としたことにある。なお、図１９において、台座８２ａには施解錠軸６１が形成されているが、手前の結合脚部８３に隠れて見えないだけである。本例の四角形断面の施解錠軸６１の長さは、前述の長方形断面や十字形断面の施解錠軸６２の長さの約半分である。この場合、先ず、ケース錠２０のロックカム７に形成された嵌挿孔７１にアダプター１０を嵌挿する。次いで、一対の四角形断面の施解錠軸６１をアダプター１０の挿入孔３に両側からそれぞれ挿入する。その際、四角形断面の施解錠軸６１は、挿入孔３の四角形状部分に挿入される。四角形断面の施解錠軸６１を、挿入孔３の奥側に向けて更に挿入すると、四角形断面の施解錠軸６１は突起５の開口側に形成された傾斜面３３に施解錠軸６１の先端が当たり、次いで突起５を外側へ押し倒しながら挿入される。突起５を内壁に有する筒体部１４は外側に撓み変形するため、四角形断面の施解錠軸６１の挿入は円滑である。挿入後、四角形断面の施解錠軸６１の４辺（４面）は、挿入孔３の四角形孔の内側壁と当接又は近接している。このため、摘み８５を回動する際、挿入孔３の四角形状孔との係合が外れることはなく、空回りの恐れがない。図２０において、施解錠軸は長方形断面や十字形断面のものであってもよい。
【産業上の利用可能性】
【００２６】
本発明によれば、既存のケース錠を交換することなく、アダプターのみの交換により、正方形状断面、十字形状断面及び長方形状断面の施解錠軸に対応できる。また、施解錠軸と挿入孔との当接面積が十分であるため、空回りの恐れがない。このため、使用者の好みの施解錠軸が使用でき便利である。
【符号の説明】
【００２７】
１    筒体本体部
２    フランジ
３    挿入孔
５    突起
７    ロックカム
１０    ケース錠用アダプター
１４    筒体部
２０    ケース錠
３３    傾斜面
３５    内側壁
３６    外側壁
３８    施解錠軸当たり面
６１    四角形断面の施解錠軸
６２    長方形断面の施解錠軸
７１    嵌挿孔
【図１】
2011006939.tif 000003
【図２】
2011006939.tif 000004
【図３】
2011006939.tif 000005
【図４】
2011006939.tif 000006
【図５】
2011006939.tif 000007
【図６】
2011006939.tif 000008
【図７】
2011006939.tif 000009
【図８】
2011006939.tif 000010
【図９】
2011006939.tif 000011
【図１０】
2011006939.tif 000012
【図１１】
2011006939.tif 000013
【図１２】
2011006939.tif 000014
【図１３】
2011006939.tif 000015
【図１４】
2011006939.tif 000016
【図１５】
2011006939.tif 000017
【図１６】
2011006939.tif 000018
【図１７】
2011006939.tif 000019
【図１８】
2011006939.tif 000020
【図１９】
2011006939.tif 000021